(57)【要約】      （修正有）【課題】フレーム（スタンド）の水平状丸棒部材に直接、取り付けができ、且つ取り外しが容易な商品情報表示用クリップ及び商品情報表示体を提供する。【解決手段】先端には挟持部１１が、基端には摘み部１２が、両側端には内側へ延びる側壁部が各々形成された一対の挟持体１ａと、一対の挟持体１ａ間に嵌め込まれる弾性体とを有する。１側の挟持体１ａは、側壁部の略中央には内側へ延びる第１突起が、第１突起より基端側には内側へ延びる第２突起がそれぞれ形成される。一対の第１突起の先端同士が当接し、一対の第２突起の先端間に隙間を形成し、一対の第１突起と一対の第２突起で基端側の一部が開いた係合孔を形成したクリップ本体１と、側方の一部が切り欠かれた円筒係合部２１と、円筒係合部２１と連続して円筒係合部２１とは反対の側に延びる裏面に内側突起を形成した脚部２２とを有し、クリップ本体１の係合孔に、内側突起が嵌め込まれるフック部材２とを備える。【選択図】図１
0003184996.tif 000002
【実用新案登録請求の範囲】
【請求項１】
先端には挟持部が、基端には摘み部が、両側端には内側へ延びる側壁部が各々形成された互いが同一部材の一対の挟持体と、該一対の挟持体間に該一対の挟持部を閉じるように嵌め込まれる弾性体とを有し、１側の挟持体は、略中央には該一対の側壁部間に差し渡し状に形成される該弾性体が嵌る係止部を備える横断部が形成され、該側壁部の略中央には内側へ延びる第１突起が、該第１突起より基端側には内側へ延びる第２突起がそれぞれ形成され、該一対の第１突起の先端同士が当接し、該一対の第２突起の先端間に隙間を形成し、該一対の第１突起と該一対の第２突起で基端側の一部が開いた係合孔を形成したクリップ本体と、
側方の一部が切り欠かれた円筒係合部と、該円筒係合部と連続して該円筒係合部とは反対の側に延びる裏面に内側突起を形成した脚部とを有し、該クリップ本体の係合孔に、該内側突起が嵌め込まれるフック部材とを備えることを特徴とする商品情報表示用クリップ。
【請求項２】
該横断部の表側には、該弾性体の先端部が通る隙間が形成されていることを特徴とする請求項１記載の商品情報表示用クリップ。
【請求項３】
該横断部には、裏側に延びる突起及び該突起に隣接する他側の挟持体の突起が嵌る凹部が形成されていることを特徴とする請求項２記載の商品情報表示用クリップ。
【請求項４】
該突起の挟持体先端側の面は、挟持体基端側にわずかに傾斜していることを特徴とする請求項３記載の商品情報表示用クリップ。
【請求項５】
該弾性体が嵌め込まれたクリップ本体の基端側と、該フック部材の内側突起側を対峙させ、該第２突起で形成される基端側の一部が開いた孔へ該内側突起を押し込むことで、該クリップ本体の係合孔に、該内側突起を嵌め込むことを特徴とする請求項１〜４のいずれか１項に記載の商品情報表示用クリップ。
【請求項６】
該フック部材は、硬質樹脂製であることを特徴とする請求項１〜５のいずれか１項に記載の商品情報表示用クリップ。
【請求項７】
該フック部材は、ポリカーボネート製であることを特徴とする請求項６記載の商品情報表示用クリップ。
【請求項８】
請求項１〜７のいずれか１項に記載の商品情報表示用クリップを備える商品情報表示体。
【請求項９】
更に、水平丸棒部を有する支持スタンドを備え、該円筒係合部を該水平丸棒部に嵌め込み、該支持スタンドに商品情報表示用クリップを設置することを特徴とする請求項８記載の商品情報表示体。
【請求項１０】
商品情報が記載された紙体又はボードを該挟持部で挟持し、該紙体又はボードを吊り下げ状に支持することを特徴とする請求項８又は９記載の商品情報表示体。
【考案の詳細な説明】
【技術分野】
【０００１】
本考案は、スーパー、量販店、専門店または百貨店などにおいて、商品情報が記載された紙体又はボードを吊り下げ状に支持する商品情報表示用クリップ及び商品情報表示体に関するものである。
【背景技術】
【０００２】
スーパー、量販店、専門店または百貨店などにおいて、商品情報が記載された紙体又はボードを吊り下げ状に支持する商品情報表示用クリップ及び商品情報表示体は、通称、ＰＯＰ表示具とも称され、目玉商品等を大きく表示したり、隣接する商品群とを視覚的に区画するなどの目的で使用される。
【０００３】
従来のＰＯＰ表示具は、例えば図１７に示すように、フレーム（スタンド）１０１の水平状丸棒部材１０２の下方に水平丸棒部材１０２と平行に、水平丸棒部材１０２より小径の水平状支持部材１０３を形成し、小径の水平状支持部材１０３にクリップ１０４を取り付けていた。
【考案の概要】
【考案が解決しようとする課題】
【０００４】
しかしながら、図１７に示すような商品情報表示用クリップ１０４及び商品情報表示体１００では、フレーム側に、クリップ装着用の水平状支持部材１０３を形成する必要があり、フレーム作製コストを上昇させていた。また、クリップ割れ等により、クリップ１０４の交換をするには、バネ部材を外してから、取り外すことになり、取り外しが面倒であった。従って、フレーム（スタンド）１０１の水平状丸棒部材１０２に直接、取り付けができ、且つ取り外しが容易な商品情報表示用クリップ及び商品情報表示体の開発が望まれていた。
【０００５】
従って、本考案の目的は、フレーム（スタンド）の水平状丸棒部材に直接、取り付けができ、且つ取り外しが容易な商品情報表示用クリップ及び商品情報表示体を提供することにある。
【課題を解決するための手段】
【０００６】
すなわち、本考案は、上記従来の課題を解決したものであって、先端には挟持部が、基端には摘み部が、両側端には内側へ延びる側壁部が各々形成された互いが同一部材の一対の挟持体と、該一対の挟持体間に該一対の挟持部を閉じるように嵌め込まれる弾性体とを有し、１側の挟持体は、略中央には該一対の側壁部間に差し渡し状に形成される該弾性体が嵌る係止部を備える横断部が形成され、該側壁部の略中央には内側へ延びる第１突起が、該第１突起より基端側には内側へ延びる第２突起がそれぞれ形成され、該一対の第１突起の先端同士が当接し、該一対の第２突起の先端間に隙間を形成し、該一対の第１突起と該一対の第２突起で基端側の一部が開いた係合孔を形成したクリップ本体と、側方の一部が切り欠かれた円筒係合部と、該円筒係合部と連続して該円筒係合部とは反対の側に延びる裏面に内側突起を形成した脚部とを有し、該クリップ本体の係合孔に、該内側突起が嵌め込まれるフック部材とを備えることを特徴とする商品情報表示用クリップを提供するものである。
【０００７】
また、本考案は、該横断部の表側には、該弾性体の先端部が通る隙間が形成されていることを特徴とする前記商品情報表示用クリップを提供するものである。
【０００８】
また、本考案は、該横断部には、裏側に延びる突起及び該突起に隣接する他側の挟持体の突起が嵌る凹部が形成されていることを特徴とする前記商品情報表示用クリップを提供するものである。
【０００９】
また、本考案は、該突起の挟持体先端側の面は、挟持体基端側にわずかに傾斜していることを特徴とする前記商品情報表示用クリップを提供するものである。
【００１０】
また、本考案は、該弾性体が嵌め込まれたクリップ本体の基端側と、該フック部材の内側突起側を対峙させ、該第２突起で形成される基端側の一部が開いた孔へ該内側突起を押し込むことで、該クリップ本体の係合孔に、該内側突起を嵌め込むことを特徴とする前記商品情報表示用クリップを提供するものである。
【００１１】
また、本考案は、該フック部材は、硬質樹脂製であることを特徴とする前記商品情報表示用クリップを提供するものである。
【００１２】
また、本考案は、該フック部材は、ポリカーボネート製であることを特徴とする前記商品情報表示用クリップを提供するものである。
【００１３】
また、本考案は、前記商品情報表示用クリップを備える商品情報表示体を提供するものである。
【００１４】
また、本考案は、更に、水平丸棒部を有する支持スタンドを備え、該円筒係合部を該水平丸棒部に嵌め込み、該支持スタンドに商品情報表示用クリップを設置することを特徴とする前記商品情報表示体を提供するものである。
【００１５】
また、本考案は、商品情報が記載された紙体又はボードを該挟持部で挟持し、該紙体又はボードを吊り下げ状に支持することを特徴とする前記商品情報表示体を提供するものである。
【考案の効果】
【００１６】
本考案によれば、フレーム（スタンド）の水平状丸棒部材に直接、取り付けができる。このため、フレーム（スタンド）の水平状丸棒部材の下方に水平丸棒部材より小径の水平状支持部材を形成しなくともよく、フレームの製作コストを低減できる。また、クリップ割れの際、フレームからの取り外しが容易であり、作業者の負担を軽減できる。また、クリップを構成する一対のクリップ本体は、同一形状であり、製作コストを低減できる。
【図面の簡単な説明】
【００１７】
【図１】本考案の実施の形態における商品情報表示用クリップの斜視図を示す。
【図２】図１の商品情報表示用クリップの分解正面図を示す。
【図３】図２の断面図である。
【図４】一対のクリップ本体の一側の部材の斜視図である。
【図５】一対のクリップ本体の一側の部材の他の斜視図である。
【図６】一対のクリップ本体の一側の部材の裏側から見た図である。
【図７】一対のクリップ本体の一側の部材の側面図である。
【図８】図６のＸ１−Ｘ１線に沿って見た図である。
【図９】図６のＸ２−Ｘ２線に沿って見た図である。
【図１０】図６のＸ３−Ｘ３線に沿って見た図である。
【図１１】図６のＸ４−Ｘ４線に沿って見た図である。
【図１２】図１の商品情報表示用クリップで使用するフック部材の斜視図である。
【図１３】図１２のフック部材の正面図である。
【図１４】図１３のＹ−Ｙ線に沿って見た図である。
【図１５】商品情報表示体の一部を示す斜視図である。
【図１６】商品情報表示体の一部を示す他の斜視図である。
【図１７】従来の商品情報体の一部を示す斜視図である。
【考案を実施するための形態】
【００１８】
本考案の実施の形態における商品情報表示用クリップ（以下、単に「クリップ」と言う。）を図１〜図１４を参照して説明する。クリップ１０は、クリップ本体１とフック部材２の組み込み体である。クリップ本体１は先端の挟持部１１で商品情報表示具Ａを挟持すると共に、基端側でフック部材２を取り付け、フレーム（スタンド）の水平状丸棒部材に直接、取り付けができるようにしたものである。なお、図４中、符号Ｘが外側であり、符号Ｙが内側である。
【００１９】
クリップ本体１は、互いが同一部材の一対の挟持体１ａ、１ａと一対の挟持体１ａ、１ａ間に先端の一対の挟持部１１を閉じるように嵌め込まれる弾性体３とから構成される。これにより、クリップ本体１は、弾性体３を除いて１部品で済み、製作コストを低減できる。
【００２０】
一対の挟持体１ａ、１ａは、互いが同一部材であるため、一側の挟持体１ａについて図４〜図１１を参照して説明する。挟持体１ａは、先端には挟持部１１が、基端には摘み部１２が、両側端には内側へ延びる側壁部１９、１９が各々形成されている。側壁部１９、１９は、やや先端側で内側にやや屈曲した基板１２１の左右両側端に形成され、挟持部１１は、基板１２１の先端に厚みを持たせることで構成している。また、挟持部１１の先端の内側（裏側）には、薄板状の突起１１１を形成して、挟持力を高めている。また、基板１２１の横断部１７のやや先端側には、基板１２１の裏面から内側に僅かに突出する突起１１２が形成されている。これにより、弾性体３の押し込み過ぎを防止できる。
【００２１】
１側の挟持体１ａにおいて、長手方向の略中央には一対の側壁部１９、１９間に差し渡し状で、且つ基板１９との間（横断部１７の表側）に隙間１８を保持して横断部１７が形成されている。隙間１８には、コ字形状の開口部がやや狭くなった板バネ部材（弾性体３）の先端が入り込み、一対の横断部１７間に板バネ部材（弾性体３）が嵌るようになっている。すなわち、横断部１７の基板１側の角が弾性体３が嵌る係止部１７３となる（図３参照）。また、横断部１７の挟持体基端側の面１７４は、面が基端側で且つ外側を向くような傾斜面を形成している。これにより、弾性体３の先端を傾斜面１７４に当てがいバネ力に抗して強く押し込むことで、弾性体３の先端を傾斜面１７４に沿わせて、隙間１８に入れ込み弾性体３を嵌めることができる。
【００２２】
また、横断部１７には、裏側（反基板１側）に延びる突起１７１と、突起１７１に隣接する他側の挟持体の突起１７１が嵌る凹部１７２が形成されている。これにより、一対の挟持体１ａ、１ａの位置決めと回動安定性を高めることができる。なお、突起１７１は、横断部１７の位置に形成される第１突起１３の高さより高いことを意味し、凹部１７２は、第１突起１３の高さより凹んでいることを意味する。なお、第１突起１３の高さ及び第２突起１４の高さとは、基板１からの高さを言う。突起１７１の高さと凹部１７２の凹みの深さは、一対の挟持体１ａ、１ａの裏面同士を対峙させ、一側の突起１７１を他側の凹部１７２に嵌め、他側の突起１７１を一側の凹部１７２に嵌めた際、先端の挟持部１１同士及び第１突起１３同士が正しく当接し、上下移動及び左右移動を生じない寸法とする。突起１７１と凹部１７２の境界が挟持体１ａの幅方向の中心となる。なお、本考案においては、横断部１７に形成される突起１７１と凹部１７２は任意の構成要素である。
【００２３】
突起１７１の挟持体先端側の面は、先端が挟持体基端側にわずかに傾斜している。すなわち、突起１７１の挟持体先端側の面は、傾斜面である。また、凹部１７２は、突起１７１の形状に対応しており、先端が挟持体先端側にわずかに傾斜した傾斜面となっている。これにより、一対の挟持体１ａ、１ａは、挟持部１１の開又は閉による回動が円滑となる。
【００２４】
挟持体１ａにおいて、側壁部１９の略中央には内側へ延びる第１突起１３が形成され、第１突起１３より基端側には内側へ延びる第２突起１４が形成されている。弾性体３が組み込まれた際、先端の挟持部１１を開又は閉とする回動において、第１突起１３は回動支点として作用する。また、一対の第１突起１３の先端同士が当接した状態において、一対の第２突起１４の先端間には開口幅ｗの隙間１５１が形成される（図３参照）。これにより、先端の挟持部１１が開くことが可能となり、また、フック部材２の嵌め込みが可能となる。また、一対の第１突起１３、１３と一対の第２突起１４、１４で、基端側の一部が開いた係合孔１５を形成する。基端側の一部が開いた係合孔１５は側面視が概ね円形とすることが、これに嵌る内側突起２３が円形断面状である点で好ましい。また、一対の第２突起１４の先端間で形成される隙間１５１の開口幅ｗは、フック部材２の内側突起２３の外径の１/４〜１/３程度とすることが、フック部材２の強い嵌め込みが可能となると共に、先端の挟持部１１が開く際、障害とならない点で好ましい。すなわち、隙間１５１の開口幅ｗが、フック部材２の内側突起２３の外径の１/４未満では、フック部材２が嵌り難く、嵌めれたとしても、フック部材２の硬さを弱くする必要があり、外れ易くなる。また、隙間１５１の開口幅ｗが、フック部材２の内側突起２３の外径の１/３を超えるものは、フック部材２が外れ易くなる。なお、隙間１５１の開口は、挟持体１ａの基端側に向けて漸次広くなっている。これにより、フック部材２を嵌め易く、外し難いようにしている。また、摘み部１２、１２を閉じて、挟持部１１、１１を開く際、開き過ぎを抑える位置決め機能とストッパー機能を付与している。
【００２５】
弾性体３は、一対の挟持体１ａ、１ａ間に一対の挟持部１１、１１を閉じるように嵌め込まれる。すなわち、本例では、嵌め込み前の弾性体３は、コ字形状の板バネであって、コ字の開き側が少し閉じた状態である。従って、この板バネの開口を開く際、バネ力に抗して開き、このバネ力に抗した状態において、先端部は開口を閉じるようにバネ力が作用する。また、弾性体３の開口側の先端は、内側に突状となるアールを設けている。これにより、横断部１７の隙間１８への弾性体３の嵌め込みが確実で且つ安定する。また、コ字形状の板バネの幅寸法は、フック部材２の内側突起２３間の寸法よりも小とする。これにより、フック部材２を一対の挟持体１ａ、１ａの係合孔１５に嵌める際、板バネが嵌合の障害となることがない。
【００２６】
弾性体３は、一対の挟持体１ａ、１ａを組み付けた状態、すなわち、一対の挟持体１ａ、１ａの裏面同士を対峙させ、一側の突起１７１を他側の凹部１７２に嵌め、他側の突起１７１を一側の凹部１７２に嵌め、先端の挟持部１１同士を当接した状態において、組み込む。すなわち、弾性体３の開口側と横断部１７を対峙させる。次いで、横断部１７の裏側の傾斜面１７４に弾性体３の先端部を当てがい、次いで強く押し込むことで、一対の横断部１７間に弾性体３を介在させることができる。横断部１７間に弾性体３が介在することで、弾性体３の先端側は、コ字形状の開口を閉じる方向にバネ力が作用する。そして、弾性体３の先端部は、第１突起１３の先端部より先端側にあるため、弾性体３のバネ力は、一対の挟持部１１を閉じることになる。
【００２７】
フック部材２は、一対の挟持体１ａ、１ａとフレーム（スタンド）の水平状丸棒部材２２間に介在する部材である（図１６参照）。これにより、一対の挟持体１ａ、１ａを直接、フレーム（スタンド）の水平状丸棒部材２２に取り付けることができる。
【００２８】
フック部材２は、側方の一部が切り欠かれた円筒係合部２１と、円筒係合部２１と連続して円筒係合部２１とは反対の側に延びる裏面に内側突起２３を形成した脚部２２とを有する。円筒係合部２１は、フレーム（スタンド）の水平状丸棒部材２２に嵌るものであり、内側突起２３は、一対の挟持体１ａ、１ａの係合孔１６に嵌るものである。
【００２９】
円筒係合部２１は、内径ｄ１の円筒体の側方の上部が切り欠かれたものであり、幅ｄ２の横長の開口を有する。この場合、フレーム（スタンド）の水平状丸棒部材２２の外径は、ｄ１と同じか若しくはそれよりやや大のものである。フレーム（スタンド）の水平状丸棒部材２２の外径がｄ２より小のものには取り付けられない。
【００３０】
一対の脚部２２は、円筒体の端部から下方に延びる先端がアールの板状体である。また、一対の脚部２２間の寸法は、挟持体１ａの厚みよりやや大である。これにより、フック部材２を一対の挟持体１ａ、１ａ間に嵌め込みことができる。また、内側突起２３の突起高さは、手で強く押し込んで嵌めることができ、強く引き抜くことで外すことができる程度の高さとすればよい。
【００３１】
フック部材２は、金属、樹脂、ガラス、カーボン又はこれらの複合物から作製されるものである。この中、樹脂製のものは、取り付けの際、金属音などが発生せず、設置安定性が高まる点で好ましい。樹脂としては、ポリアセタール樹脂、ポリアミド樹脂、アクリロニトリル−ブタジエン−スチレン共重合合成樹脂（ＡＢＳ樹脂）、エポキシ樹脂、フェノール樹脂、ポリカーボネート樹脂など硬質エンジニアリングプラスチックが使用できる。なお、樹脂には、更にガラス繊維やカーボン繊維等の強化繊維が含まれていてもよい。
【００３２】
クリップ１０は、弾性体３が嵌め込まれたクリップ本体１の基端側と、フック部材２の内側突起２３側を対峙させ、第２突起１４で形成される基端側の一部が開いた開口部１５１へ内側突起２３を押し込み、更に強く押し込むことで、クリップ本体１の係合孔１５に、内側突起２３を嵌め込むことができる。なお、フック部材２をクリップ本体１の係合孔１５に強く押し込んでも、挟持部１１の先端は互いに当接しており、基端側の一部が開いた開口部１５１は、それ以上は開かない。このため、強く押し込むことができる。また、フック部材２を取り外す際、フック部材２を強く引き抜くことで嵌合を外すことができる。
【００３３】
次に、本考案の実施の形態における商品情報表示体２０を図１５及び図１６を参照して説明する。本例の商品情報表示体２０は、上記クリップ１０を備えるものであり、例えば、上記クリップ１０と、更に、水平丸棒部２２を有する支持スタンド２１を備えるものが挙げられる。クリップ１０の円筒係合部２１の上部開口２４を水平丸棒部２２に嵌め込み、支持スタンド２１にクリップ１０を設置することができる。クリップ１０を支持する支持体としては、上記スタンドに限定されず、壁等の固定部材間に差し渡しで形成される水平丸棒部材が挙げられる。
【００３４】
商品情報表示体２０において、商品情報が記載された紙体又はボード等の商品情報表示具Ａを挟持部１１で挟持し、紙体又はボードを吊り下げ状に支持する。これにより、顧客に商品情報を視覚的に訴えることができる。
【産業上の利用可能性】
【００３５】
本考案によれば、フレーム（スタンド）の水平状丸棒部材に直接、取り付けができる。このため、フレーム（スタンド）の水平状丸棒部材の下方に水平丸棒部材より小径の水平状支持部材を形成しなくともよく、フレームの製作コストを低減できる。また、クリップ割れの際、フレームからの取り外しが容易であり、作業者の負担を軽減できる。また、クリップを構成する一対のクリップ本体は、同一形状であり、製作コストを低減できる。
【符号の説明】
【００３６】
１    クリップ本体
１ａ  一対の挟持体
２    フック部材
３    弾性体
１１  挟持部
１２  摘み部
１７  横断部
１８  隙間
１９  一対の側壁部
１１１  薄板状の突起
１１２  突起
１２１  基板
Ａ    商品情報表示具
【図１】
0003184996.tif 000003
【図２】
0003184996.tif 000004
【図３】
0003184996.tif 000005
【図４】
0003184996.tif 000006
【図５】
0003184996.tif 000007
【図６】
0003184996.tif 000008
【図７】
0003184996.tif 000009
【図８】
0003184996.tif 000010
【図９】
0003184996.tif 000011
【図１０】
0003184996.tif 000012
【図１１】
0003184996.tif 000013
【図１２】
0003184996.tif 000014
【図１３】
0003184996.tif 000015
【図１４】
0003184996.tif 000016
【図１５】
0003184996.tif 000017
【図１６】
0003184996.tif 000018
【図１７】
0003184996.tif 000019